(57)【要約】      （修正有）【課題】氷上や少量の水溜りの地面でより優れた滑り止め効果、及び全面的な滑り止め力を有する靴底の新型滑り止め構造を提供する。【解決手段】靴底の新型滑り止め構造は、弾力性のある滑り止め材で造られた底部に模様入りを備えてなる。底部の模様入りは、Ｖ形ユニット１を組み合わせてなる。Ｖ形ユニットは、滑り止めシート体２の表面に突き出され、Ｖ形ユニットの中間端部には横方向分布の端部平面３、Ｖ形ユニットの中間には中間浅切込み４が設けられ、中間浅切込みは端部平面に対して垂直となる。Ｖ形ユニットの両側部には側部浅切込み５が設けられ、側部浅切込みとＶ形ユニットの外側斜面とは相互に垂直である。Ｖ形ユニットは横方向に逐一分布し、端から端まで連続的に配置され、隣接するＶ形ユニットは相互に倒置されるように設けられ、横方向に並ぶ複数のＶ形ユニットは縦方向に逐一分布し、各列のＶ形ユニットの分布と同じように配置される。【選択図】図１
0003227140.tif 000002
【実用新案登録請求の範囲】
【請求項１】
弾力性のある滑り止め材で作られた底部の模様入りを備えてなり、前記底部の模様入りは、Ｖ形ユニットを組み合わせてなり、前記Ｖ形ユニットは、滑り止めシート体の表面に突き出され、前記Ｖ形ユニットの中間端部には横方向分布の端部平面、前記Ｖ形ユニットの中間には中間浅切込みが設けられ、前記中間浅切込みは前記端部平面に対して垂直となり、前記Ｖ形ユニットの両側部には、側部浅切込みが設けられ、前記側部浅切込みと前記Ｖ形ユニットの外側斜面とは相互に垂直であり、前記Ｖ形ユニットは横方向に逐一分布し、端から端まで連続的に配置され、隣接する前記Ｖ形ユニットは相互に倒置されるように設けられ、横方向に並ぶ複数の前記Ｖ形ユニットは縦方向に逐一分布し、 各列の前記Ｖ形ユニットの分布方法と同じように配置されることを特徴とする靴底の新型滑り止め構造。
【請求項２】
前記Ｖ形ユニットは、各行の前方と後方の位置に対応、一致するように配置され、前方の前記Ｖ形ユニットの中間浅切込みと後方の前記Ｖ形ユニットの中間浅切込みとは一直線に分布し、前記Ｖ形ユニットの内凹所には、横方向分布の内凹平面が設けられることを特徴とする請求項１に記載の靴底の新型滑り止め構造。
【請求項３】
前記Ｖ形ユニットの最大幅は１０ｃｍ、前記Ｖ形ユニット側部の幅は２．７ｃｍ、前記中間浅切込みと前記側部浅切込みの幅はどれも０．３ｃｍ、前記中間浅切込みと前記側部浅切込みの高さはどれも１．２ｃｍ、前記Ｖ形ユニットの高さは３ｃｍであることを特徴とする請求項１又は２に記載の靴底の新型滑り止め構造。
【請求項４】
前記底部の模様入りは、右方向沿いに分布することを特徴とする請求項１又は２に記載の靴底の新型滑り止め構造。
【請求項５】
前記底部の模様入りは、右方向沿いに分布することを特徴とする請求項３に記載の靴底の新型滑り止め構造。
【考案の詳細な説明】
【技術分野】
【０００１】
本考案は、靴底の新型滑り止め構造に関する。
【背景技術】
【０００２】
従来の靴底は通常、靴底の模様入りを改善し、又は滑り止めステッカーを設けて実現され、基本的に靴底の表面から着手、解決するように設けられる。
【考案の概要】
【考案が解決しようとする課題】
【０００３】
しかしながら、従来の靴底の滑り止め構造は大抵、靴底の長い側のみに滑り止め効果があり、多方向からの滑り止め効果がなく、そして排水効果が悪いため、それを履いて、少量の水溜りの地面又は氷上で歩行するには向かないものである、という問題がある。
【０００４】
本考案は、このような従来の問題を解決するもので、氷上や少量の水溜りの地面でより優れた滑り止め効果、及び全面的な滑り止め力を有する靴底の新型滑り止め構造を提供すること、を目的とする。
【課題を解決するための手段】
【０００５】
上記目的を達成するために、本考案の靴底の新型滑り止め構造は、弾力性のある滑り止め材で作られた底部の模様入りを備えてなり、底部の模様入りは、Ｖ形ユニットを組み合わせてなり、Ｖ形ユニットは、滑り止めシート体の表面に突き出され、前記Ｖ形ユニットの中間端部には横方向分布の端部平面、Ｖ形ユニットの中間には中間浅切込みが設けられ、中間浅切込みは端部平面に対して垂直となり、前記Ｖ形ユニットの両側部には、側部浅切込みが設けられ、側部浅切込みとＶ形ユニットの外側斜面とは相互に垂直であり、前記Ｖ形ユニットは横方向に逐一分布し、端から端まで連続的に配置され、隣接するＶ形ユニットは相互に倒置されるように設けられ、横方向に並ぶ複数のＶ形ユニットは縦方向に逐一分布し、各列のＶ形ユニットの分布方法と同じように配置されることを特徴とする。
【考案の効果】
【０００６】
本考案の靴底の新型滑り止め構造によれば、次のような本考案独自の格別な効果を奏する。
（１）靴底の新型滑り止め構造における側部浅切込み、中間浅切込みとＶ形ユニットとの間に設けられた間隔からなる排水路が設けられ、Ｖ形ユニットの尖った端部により、前側の水を両側に分流させ、局所に集中するから、素早く、側部浅切込み、中間浅切込みとＶ形ユニットの間にある間隔を通らせて、素早く分散して、排出させるように設けられ、側部浅切込み、中間浅切込みによるＶ形ユニットの排水能力、地面とのグリップ力が特に高められるから、全体的な滑り止め力が向上し、特に、水溜りの地面や氷上で優れた滑り止め力がある。
（２）Ｖ形ユニットのＶ形状と、中間浅切込みと側部浅切込みとがそれぞれ、異なる方向に分布していることにより、滑り止めシート体における底部の模様入りに、多方向に滑り止め力を持たせ、横方向に隣接するＶ形ユニットが相互に倒置されることから、更に、底部の模様入りにおける多方向からの滑り止め力を向上することができる。
【図面の簡単な説明】
【０００７】
【図１】本考案の一実施の形態に係る靴底の新型滑り止め構造を示す平面図。
【図２】図1のA-A線拡大断面図。
【考案を実施するための形態】
【０００８】
次に、この考案を実施するための形態について図を用いて説明する。図１、図２に靴底の新型滑り止め構造を示している。
【０００９】
図１、図２に示すように、この新型滑り止め構造は、弾力性のある滑り止め材で作られた底部に模様入りを備えてなる。底部の模様入りは、Ｖ形ユニット１を組み合わせてなる。
【００１０】
Ｖ形ユニット１は、滑り止めシート体２の表面に突き出され、Ｖ形ユニット１の中間端部には横方向分布の端部平面３、Ｖ形ユニット１の中間には中間浅切込み４が設けられ、中間浅切込み４は端部平面３に対して垂直となる。
【００１１】
Ｖ形ユニット１の両側部には、側部浅切込み５が設けられ、側部浅切込み５とＶ形ユニット１の外側斜面６とは相互に垂直である。
【００１２】
Ｖ形ユニット１は横方向に逐一分布し、端から端まで連続的に配置され、隣接するＶ形ユニット１は相互に倒置されるように設けられ、横方向に並ぶ複数のＶ形ユニット１は、縦方向に逐一分布し、各列のＶ形ユニット１の分布方法と同じように配置される。Ｖ形ユニット１は、各行の前方と後方の位置に対応、一致するように配置され、前方のＶ形ユニット１の中間浅切込み４と後方のＶ形ユニット１の中間浅切込み４とは一直線に分布する。
【００１３】
Ｖ形ユニット１の内凹所には、横方向分布の内凹平面７が設けられる。
【００１４】
底部の模様入りは、右方向沿いに分布する。右方向とは、Ｂ方向のことをいう。
【００１５】
Ｖ形ユニット１の最大幅は１０ｃｍ、Ｖ形ユニット１側部の幅は２．７ｃｍ、中間浅切込み４と側部浅切込み５の幅はどれも０．３ｃｍ、中間浅切込み４と側部浅切込み５の高さはどれも１．２ｃｍ、Ｖ形ユニット１の高さは３ｃｍである。上述したＶ形ユニット１、中間浅切込み４と側部浅切込み５の高さ、幅は、排水、強度や変形などを十分に配慮して設計され、素早く排水し、Ｖ形ユニット１の過度の変形を防ぎ、よりよい強度を持つことができるように設けられている。
【００１６】
以上説明したように、この靴底の新型滑り止め構造によれば、次のような利点を有する。
（１）靴底の新型滑り止め構造における側部浅切込み５、中間浅切込み４とＶ形ユニット１との間に設けられた間隔からなる排水路が設けられ、Ｖ形ユニット１の尖った端部により、前側の水を両側に分流させ、局所に集中するから、素早く、側部浅切込み５、中間浅切込み４とＶ形ユニット１の間にある間隔を通らせて、素早く分散して、排出させるように設けられ、側部浅切込み５、中間浅切込み４によるＶ形ユニット１の排水能力、地面とのグリップ力が特に高められるから、全体的な滑り止め力が向上し、特に、水溜りの地面や氷上で優れた滑り止め力がある。
（２）Ｖ形ユニット１のＶ形状と、中間浅切込み４と側部浅切込み５とがそれぞれ、異なる方向に分布していることにより、滑り止めシート体２における底部の模様入りに、多方向に滑り止め力を持たせ、横方向に隣接するＶ形ユニット１が相互に倒置されることから、更に、底部の模様入りにおける多方向からの滑り止め力を向上することができる。
【符号の説明】
【００１７】
１  Ｖ形ユニット
２  滑り止めシート体
３  端部平面
４  中間浅切込み
５  側部浅切込み
６  外側斜面
７  内凹平面
【図１】
0003227140.tif 000003
【図２】
0003227140.tif 000004